(57)【要約】【課題】エレベータの敷居溝の清掃を効率よく行えるエレベータの敷居溝清掃具を提供する。【解決手段】敷居溝清掃具１０は、スコップ部材１２と、ふた部材１４と、を備える。スコップ部材１２は、敷居溝に沿って移動させ敷居溝内のゴミを収集するスコップ部１６と、スコップ部１６の基端部１６ａから延伸された第１の把持部１８と、を有し、ふた部材１４は、スコップ部１６を覆うふた部２０と、ふた部２０の基端部２０ａから延伸された第２の把持部２２と、を有する。これらスコップ部材１２とふた部材１４が、第１の把持部１８と第２の把持部２２の間にバネ部材２６を設けて、スコップ部１６の基端部１６ａとふた部２０の基端部２０ａで連結軸２４を介して互いに相対回転可能に連結されている。このような構成により、作業者は、片手でふた部２０の開け閉めを行うことができる。【選択図】図１
2007039229.tif 000002
【特許請求の範囲】
【請求項１】
エレベータ乗場又は乗りかごの床面に設けられ、乗場ドア又はかごドアの移動をガイドする敷居溝を清掃するエレベータの敷居溝清掃具であって、
敷居溝に沿って移動させ敷居溝内のゴミを収集するスコップ部と、その基端部から延伸された第１の把持部と、を有するスコップ部材と、
前記スコップ部を覆うふた部と、その基端部から延伸された第２の把持部と、を有するふた部材と、を備え、
前記スコップ部材と前記ふた部材とが前記基端部において連結軸を介して互いに相対回転可能に連結されていることを特徴とするエレベータの敷居溝清掃具。
【請求項２】
請求項１に記載のエレベータの敷居溝清掃具であって、
第１の把持部と第２の把持部との間に設けられ、前記スコップ部と前記ふた部を開放状態に付勢するバネ部材を備えることを特徴とするエレベータの敷居溝清掃具。
【請求項３】
請求項１又は２に記載のエレベータの敷居溝清掃具であって、
ふた部を閉じた状態で、スコップ部の先端部はふた部の先端部から突き出ていることを特徴とするエレベータの敷居溝清掃具。
【発明の詳細な説明】
【技術分野】
【０００１】
本発明は、エレベータの敷居溝清掃具の改良に関する。
【背景技術】
【０００２】
例えば、エレベータ乗場又は乗りかごのドアは、上部の案内レールに吊り下げられ、その下側にドアから突出したドアシューが設けられている。一方、かごや乗場の床面には、このドアシューをガイドする敷居溝が形成されおり、ドアシューは敷居溝にガイドされ、これによってドアが開閉する。このような敷居溝に、砂、ほこり、異物等のゴミが混入し、更に混入したゴミは、次第に敷居溝に固着することもある。このように敷居溝に溜まったゴミは、ドアの開閉に支障をきたしてしまうので、保守員は定期的に敷居溝を清掃する必要がある。このため、敷居溝の清掃に適した種々の敷居溝清掃具が提案されている。
【０００３】
特許文献１の敷居溝清掃具では、管材の縦片面先方に開口形成したスコップ部を敷居溝に沿って移動させて敷居溝内のゴミを収集することが開示されている。
【０００４】
また、特許文献２に開示された清掃装置は、互いに付き合わせられ１つの掬い上げ容器を構成する固定側半容器と可動側半容器とを有している。この固定側半容器に、固定ロッドが立設されこの固定ロッド内に可動側半容器に連結された摺動ロッドが設けられている。この摺動ロッドの取っ手を操作し摺動ロッドを上下に摺動させると、可動側半容器が回転し開け閉めすることができる。例えば、摺動ロッドを押し下げ可動側半容器を開き、ゴミを収集し、その後ゴミがこぼれない様に摺動ロッドを引き上げて可動側半容器を閉じて、敷居溝から清掃装置を引き上げる。
【０００５】
【特許文献１】特開平７−７９８９９号公報
【特許文献２】特開２００３−３４３８号公報
【発明の開示】
【発明が解決しようとする課題】
【０００６】
しかしながら、特許文献１の敷居溝清掃具では、スコップ部を覆う部材がないので、スコップ部に収集されたゴミを捨てる場合に、一方の手で敷居溝清掃具を持ちつつ片方の手で、ゴミがスコップ部から落ちないように補助する必要がある。したがって、両方の手を使わなければならず、操作性が悪いという問題があった。また、病院内のエレベータの敷居溝には、注射針等が混入していることが考えられ、補助する手に触れてしまう可能性がある。
【０００７】
これに対して、特許文献２の清掃装置は、可動側半容器で固定側半容器のふたをすることができるが、可動側半容器を回転させるときに、一方の手で固定ロッドを持ち片方の手で取手を操作する必要がある。ゴミの収集、廃棄を繰り返して敷居溝を清掃する場合には、この両手での操作は操作性が悪いという問題がある。
【０００８】
そこで、本発明は上記課題を解決するためになされたもので、エレベータの敷居溝の清掃を効率よく行えるエレベータの敷居溝清掃具を提供することを目的とする。
【課題を解決するための手段】
【０００９】
本発明のエレベータの敷居溝清掃具は、エレベータ乗場又は乗りかごの床面に設けられ、乗場ドア又はかごドアの移動をガイドする敷居溝を清掃するエレベータの敷居溝清掃具であって、敷居溝に沿って移動させ敷居溝内のゴミを収集するスコップ部と、その基端部から延伸された第１の把持部と、を有するスコップ部材と、スコップ部を覆うふた部と、その基端部から延伸された第２の把持部と、を有するふた部材と、を備え、スコップ部材とふた部材とが基端部において連結軸を介して互いに相対回転可能に連結されていることを特徴とする。
【００１０】
本発明のエレベータの敷居溝清掃具は、第１の把持部と第２の把持部との間に設けられ、スコップ部とふた部を開放状態に付勢するバネ部材を備えることを特徴とする。
【００１１】
本発明のエレベータの敷居溝清掃具は、ふた部を閉じた状態で、スコップ部の先端部はふた部の先端部から突き出ていることを特徴とする。
【発明の効果】
【００１２】
本発明によれば、ゴミを収集するスコップ部を有するスコップ部材と、スコップ部を覆うふた部材を有するふた部材と、が連結軸を介して互いに相対回転可能に連結されているので、作業者は片手でふた部の開け閉めを操作することができる。
【発明を実施するための最良の形態】
【００１３】
以下、本発明を実施するための形態（以下、実施形態という）について、図面を参照し説明する。図１は、本実施形態のエレベータの敷居溝清掃具（以下、敷居溝清掃具という）を示す斜視図であり、敷居溝清掃具のふた部が開けられた状態を示しており、図２は、敷居溝清掃具のふた部が閉められた状態を示す図である。
【００１４】
図１に示す様に、敷居溝清掃具１０は、エレベータ乗場又は乗りかごの床面に設けられた敷居溝を清掃する清掃具であり、全体が鉄又はステンレスで形成されている。敷居溝清掃具１０は、大別して、スコップ部材１２と、ふた部材１４と、を備え、これらが連結軸２４を介して互いに相対回転可能に連結されている。
【００１５】
スコップ部材１２は、敷居溝に沿って移動させ敷居溝内のゴミを収集するスコップ部１６と、スコップ部１６の基端部１６ａから延伸された第１の把持部１８と、を有している。スコップ部１６は、全体として細長い椀形状をしており、スコップ部１６の先端部１６ｂが、敷居溝の底面に沿って摺動させられ、スコップ部１６に敷居溝のゴミを取り入れる。先端部１６ｂは、敷居溝に固着したゴミを削り取れる様に、刃状としても良い。スコップ部１６の基端部１６ａから延伸された第１の把持部１８は、作業者に把持される。
【００１６】
ふた部材１４は、スコップ部材１２と全体として同じような形状をしており、スコップ部１６を覆うふた部２０と、ふた部２０の基端部２０ａから延伸された第２の把持部２２と、を有する。後述する様に、このふた部２０がスコップ部１６を覆い、スコップ部１６とふた部２０とでスコップ部１６内に収集されたゴミを保持する。図２に示す様に、ふた部２０が閉じられた状態で、ふた部２０の先端部２０ｂは、スコップ部１６の先端部１６ｂより短い。言い換えると、スコップ部１６の先端部１６ｂは、ふた部２０の先端部２０ｂより突き出ている。これにより、ふた部２０を閉じた状態でも、敷居溝に固着したゴミを削り取ることができる。第２の把持部２２は、第１の把持部１８と同様に、作業者に把持される。
【００１７】
これらスコップ部材１２とふた部材１４が、スコップ部１６の基端部１６ａとふた部２０の基端部２０ａで連結軸２４を介して互いに相対回転可能に連結されている。本実施形態においては、更に、第１の把持部１８と第２の把持部２２の間にバネ部材２６が設けられている。このバネ部材２６は、第１の把持部１８と第２の把持部２２とを外側に離反させる方向に付勢、すなわち、スコップ部１６とふた部２０を開放状態に付勢している。
【００１８】
したがって、作業者が、図１に示す矢印Ａ方向に、第１の把持部１８と第２の把持部２２とを内側に接近させると、バネ部材２６が圧縮し、図２に示す様に、スコップ部１６とふた部２０が突き合わされ、ふた部２０はスコップ部１６を覆うことができる。次に、第１の把持部１８と第２の把持部２２の何れかを離すと、図１に示す様に、バネ部材２６が復帰し、ふた部２０はスコップ部１６を開放させる。
【００１９】
次に、本実施形態の敷居溝清掃具１０の作用について説明する。図３は、本実施形態の敷居溝清掃具１０を用いた清掃作業の様子を示す図である。
【００２０】
図３（右）に示す様に、作業者Ｓは、第１の把持部１８（若しくは、第２の把持部２２）を把持し、ふた部２０を開放させて、敷居溝３０の底面３０ａにスコップ部１６の先端部１６ｂを当接させる。この状態で、図３の矢印Ａ方向に、敷居溝清掃具１０を敷居溝３０に沿って移動させ敷居溝３０内のゴミをスコップ部１６に収集させる。ふた部２０は、バネ部材２６により開放状態が維持されるので、作業者Ｓが特にふた部２０を操作することなくスコップ部１６にゴミを収集することができる。
【００２１】
図３（左）に示す様に、ゴミの収集が終了したら、作業者Ｓは、第１の把持部１８と第２の把持部２２を握り、ふた部２０を閉める。作業者Ｓは、敷居溝清掃具１０を敷居溝３０から引き上げ、スコップ部１６内に収集されたゴミをゴミ箱等に捨てる。このように、本実施形態においては、作業者Ｓは、片手で敷居溝清掃具１０のふた部２０を閉めることができるので、ゴミの収集・廃棄を繰り返して清掃する場合に操作性を向上させることができる。
【００２２】
なお、敷居溝３０にゴミが固着している場合には、作業者Ｓは、第１の把持部１８と第２の把持部２２を握り、ふた部２０を閉める。このとき、スコップ部１６の先端部１６ｂはふた部２０の先端部２０ｂから突き出ているので、スコップ部１６の先端部１６ｂで敷居溝３０から固着物を削り取ることができる。また、作業者Ｓは、第１の把持部１８と第２の把持部２２を握ることになるので、力を込めやすくなる。
【図面の簡単な説明】
【００２３】
【図１】実施形態のエレベータの敷居溝清掃具を示す斜視図であり、敷居溝清掃具のふた部を開けた状態を示している。
【図２】敷居溝清掃具のふた部を閉めた状態を示す図である。
【図３】実施形態の敷居溝清掃具を用いた清掃作業の様子を示す図である。
【符号の説明】
【００２４】
１０  敷居溝清掃具、１２  スコップ部材、１４  ふた部材、１６  スコップ部、１６ａ  基端部、１６ｂ  先端部、１８  第１の把持部、２０  ふた部、２０ａ  基端部、２０ｂ  先端部、２２  第２の把持部、２４  連結軸、２６  バネ部材、３０  敷居溝、３０ａ  底面。
【図１】
2007039229.tif 000003
【図２】
2007039229.tif 000004
【図３】
2007039229.tif 000005